(57)【要約】【課題】大面積の排水勾配付き防水床であっても容易に構築することができる排水勾配付き防水床を提供する。【解決手段】架台４上に必要に応じ下地合板（図示略）を敷設した後、スロープ面材１０，３０とフラット面材２０によって排水勾配付き防水床を形成する。スロープ面材１０は、排水勾配方向に沿う縦断面形状が台形であり、排水勾配を有した上面１１と、水平な下面１２と、水上側の木口面１３と水下側の木口面１４とを有している。スロープ面材１０の凸実部１５を隣接するスロープ面材１０の凹実部１６に嵌合させたとときに、双方のスロープ面材１０，１０の上面１１，１１が連続面となる。排水樋５に隣接してスロープ面材１０が１枚のみ敷設され、それに隣接して１枚のスロープ面材１０と１枚のフラット面材２０とが敷設され、それに隣接して１枚のスロープ面材１０と２枚のフラット面材２０とが敷設されている。【選択図】図１
2006144299.tif 000002
【特許請求の範囲】
【請求項１】
上面が排水勾配を有したスロープ面材が敷設され、その上に防水層が形成されている排水勾配付き防水床において、
複数の該スロープ面材が、各々の上面が連続面となるように配置され、
水上側のスロープ面材の下側には、上面が水平なフラット面材が敷設されていることを特徴とする排水勾配付き防水床。
【請求項２】
請求項１において、該スロープ面材の排水勾配方向に沿う縦断面形状が台形であり、
このスロープ面材の水上側の木口面の厚みをａ、水下側の木口面の厚みをｂとし、
前記フラット面材の厚みをｃとした場合、ｂとｃとの和がａにほぼ等しいことを特徴とする排水勾配付き防水床。
【請求項３】
請求項２において、水上側スロープ面材の水下側の木口面と、水下側スロープ面材の水上側の木口面とに、互いに係合した実部が設けられていることを特徴とする排水勾配付き防水床。
【発明の詳細な説明】
【技術分野】
【０００１】
本発明は、排水勾配を有した防水床に関する。
【背景技術】
【０００２】
排水勾配を有した防水床を、排水勾配付きの床材あるいは防水パンを用いて構築する技術は特開平５−９８６８０号公報及び特開平８−１２０７２４号公報に記載されている。
【０００３】
前者の特開平５−９８６８０号公報では、複数枚の排水勾配付き防水パンを、それらの上面が連続面となるように、足ボルトで高さ調整しながら隣接配置している。
【０００４】
後者の特開平８−１２０７２４号公報では、上面が排水勾配を有した、比較的大きな一枚物のスロープ面材を敷設して排水勾配付き防水床を構築している。
【特許文献１】特開平５−９８６８０号公報
【特許文献２】特開平８−１２０７２４号公報
【発明の開示】
【発明が解決しようとする課題】
【０００５】
上記特開平５−９８６８０号公報の技術によって排水勾配付き防水床を構築する場合、隣接する防水パンの上面が連続面となるように足ボルトによる高さ調整を厳密に行う必要があり、構築作業に手間がかかる。
【０００６】
上記特開平８−１２０７２４号公報の技術では、排水勾配付き防水床の大きさが１枚のスロープ面材の大きさに限られてしまい、大きな面積の排水勾配付き防水床を構築することができない。
【０００７】
本発明は、大面積の排水勾配付き防水床であっても容易に構築することができる排水勾配付き防水床を提供することを目的とする。
【課題を解決するための手段】
【０００８】
本発明（請求項１）の排水勾配付き防水床は、上面が排水勾配を有したスロープ面材が敷設され、その上に防水層が形成されている排水勾配付き防水床において、複数の該スロープ面材が、各々の上面が連続面となるように配置され、水上側のスロープ面材の下側には、上面が水平なフラット面材が敷設されていることを特徴とするものである。
【０００９】
請求項２の排水勾配付き防水床は、請求項１において、該スロープ面材の排水勾配方向に沿う縦断面形状が台形であり、このスロープ面材の水上側の木口面の厚みをａ、水下側の木口面の厚みをｂとし、前記フラット面材の厚みをｃとした場合、ｂとｃとの和がａにほぼ等しいことを特徴とするものである。
【００１０】
請求項３の排水勾配付き防水床は、請求項２において、水上側スロープ面材の水下側の木口面と、水下側スロープ面材の水上側の木口面とに、互いに係合した実部が設けられていることを特徴とするものである。
【発明の効果】
【００１１】
本発明の排水勾配付き防水床にあっては、複数のスロープ面材を、上面が連続面となるように敷設するため、所望の大きさの排水勾配付き防水床を構築することができる。
【００１２】
本発明では、水上側のスロープ面材の下側にフラット面材を敷設するため、スロープ面材を所定勾配にて容易に設置することができる。特に、スロープ面材の排水勾配方向に沿う縦断面形状が台形であり、スロープ面材の水上側の木口面の厚みａ、水下側の木口面の厚みｂ及びフラット面材の厚みｃの関係をａ≒ｂ＋ｃとすることにより、隣接するスロープ面材の上面を簡単に連続面とすることができる。
【００１３】
本発明では、水上側スロープ面材の水下側の木口面と、水下側スロープ面材の水上側の木口面とに、互いに係合した実部を設けることにより、隣接するスロープ面材の上面を極めて容易に連続面とすることが可能となる。また、隣接するスロープ面材同士の連結強度を高めることも可能である。
【００１４】
当該スロープ面材は、それ自体が防水機能を有することが望ましい。スロープ面材の継ぎ目の防水処理は、ゴムアス系テープやブチルテープ、シール材による処理を行い、その上にセメント系の下地ボードを接着固定することが好適であるが、これに限定されない。
【００１５】
また、スロープ面材が防水機能を有しない場合は、防水層として、シート防水、塗膜防水、ＦＲＰ現場打ちなどの適用が可能である。当該スロープ面材を敷設後、必要に応じてプライマーによる下地処理を施し、防水シートを圧着させたり、ウレタン塗膜を施したりしてもよい。
【発明を実施するための最良の形態】
【００１６】
以下、図面を参照して実施の形態について説明する。図１は実施の形態に係る排水勾配付き防水床を示す縦断面図、図２はスロープ面材及びフラット面材の側面図、図３はスロープ面材の斜視図、図４はスロープ面材の別例を示す側面図である。図５は床仕上げ状況を示す断面図、図６は階上の構造図である。
【００１７】
図１の通り、コンクリート床１と柱又は腰壁２に囲まれた浴室構築予定スペース３に架台４が設置されている。この架台４は例えば囲桁状などのフレームよりなり、コンクリート床１上に足ボルトや脚部（図示略）などによって設置されている。この架台４上に必要に応じ下地合板（図示略）を敷設した後、スロープ面材１０，３０とフラット面材２０によって排水勾配付き防水床を形成する。スロープ面材１０，３０間には排水樋５が配設され、該排水樋５に設けられた排水トラップ６に排水管７が接続される。
【００１８】
スロープ面材１０は、排水勾配方向に沿う縦断面形状が台形であり、排水勾配を有した上面１１と、水平な下面１２と、水上側の木口面１３と、水下側の木口面１４とを有している。
【００１９】
水上側の木口面１３の上部には凸実部１５が設けられ、水下側の木口面１４には凹実部１６が設けられている。これらの実部１５，１６は嵌合しうる大きさであり、スロープ面材１０の凸実部１５を隣接するスロープ面材１０の凹実部１６に嵌合させたときに、双方のスロープ面材１０，１０の上面１１，１１が連続面となるように、凸実部１５及び凹実部１６の各木口面１３，１４の上縁からの距離が等しいものとなっている。
【００２０】
フラット面材２０は、水平な上面２１及び下面２２と、鉛直な木口面２３，２４とを有した直方体形状である。
【００２１】
この実施の形態では、スロープ面材１０の水上側の木口面１３の厚さをａ、水下側の木口面１４の厚さをｂ、フラット面材２０の厚さをｃとした場合、ａ＝ｂ＋ｃとなっている。ただし、誤差ゼロにてｂ，ｃの和がａと等しくなっている必要はなく、±２ｍｍ程度の誤差は許容される。
【００２２】
図１において、排水樋５を挟んで左側の領域にあっては、排水樋５に隣接して最水下側の１枚のスロープ面材１０が敷設され、それに隣接して１枚のスロープ面材１０と１枚のフラット面材２０とが重ね合わされて敷設され、それに隣接して最水上側の１枚のスロープ面材１０と２枚のフラット面材２０とが重ね合わされて敷設されている。
【００２３】
なお、柱又は腰壁２に隣接して配置された図１の最も左側（最水上側）のスロープ面材１０の凸実部１５は、敷設施工時に切断除去されている。
【００２４】
上記の通り、ａ＝ｂ＋ｃの関係があるため、水上側から水下側に向って配設された３枚のスロープ面材１０，１０，１０の上面１１，１１，１１は一直線状に連続している。
【００２５】
なお、図１の排水樋５の右側にあっては、１枚のスロープ面材３０のみによって排水勾配が形成されているが、排水樋５の右側のスペースが大きいときには、左側と同様に複数のスロープ面材３０を隣接配置すると共に、水上側のスロープ面材３０の下側にフラット面材を敷設すればよい。
【００２６】
この実施の形態では、各面材１０，２０，３０を敷設することにより排水勾配付き防水床を形成することができる。排水樋５の左側にあっては、スペースが広いにもかかわらず、複数のスロープ面材１０とフラット面材２０とによって極めて容易に排水勾配付き防水床を構築することができる。
【００２７】
特に、この実施の形態では、凸実部１５と凹実部１６とを嵌合させるようにしているので、隣接するスロープ面材１０，１０の上面１１，１１を極めて正確に連続させることができると共に、両スロープ面材１０，１０の連結強度を高めることもできる。
【００２８】
なお、実部の形状は図１〜３の他、図４のスロープ面材１０’のように、木口面１３，１４の最上部に形成された凸実部１５’、凹実部１６’等であってもよい。
【００２９】
上記の如くして面材１０，２０，３０あるいは１０’を敷設した後は、図５に示すように、その上に例えば防水シート４１を張設し、その上にセメント系等のタイル張り下地板４２を敷設し、この下地板上にタイル４３張りして仕上げを行う。ただし、この仕上げは一例であり、これ以外であってもよい。
【００３０】
本発明で用いる面材の材料は、特に限定されるものではないが、発泡合成樹脂ボードが軽量で且つ断熱性を有し、切断も容易であり、好適である。
【００３１】
上記実施の形態では、排水樋５の両側に排水勾配をつけているが、排水樋５を床の辺縁に沿って配置してもよい。なお、スロープ面材の配設枚数は図示のものに限定されない。スロープ面材の上面の勾配は１／３０〜１／８０程度が好適である。
【００３２】
本発明は、図６に示す２階以上の階上にも適用できる。図６では、２階床梁５０上に根太５１が設置され、その上に床合板５２が設置されている。５３は壁合板、５４は胴差し、５５は柱である。
【図面の簡単な説明】
【００３３】
【図１】実施の形態に係る排水勾配付き防水床を示す縦断面図である。
【図２】スロープ面材及びフラット面材の側面図である。
【図３】スロープ面材の斜視図である。
【図４】スロープ面材の別例を示す側面図である。
【図５】床仕上げ状況を示す断面図である。
【図６】階上の構造図である。
【符号の説明】
【００３４】
５  排水樋
６  排水トラップ
７  排水管
１０，１０’，３０  スロープ面材
１５，１５’  凸実部
１６，１６’  凹実部
２０  フラット面材
【図１】
2006144299.tif 000003
【図２】
2006144299.tif 000004
【図３】
2006144299.tif 000005
【図４】
2006144299.tif 000006
【図５】
2006144299.tif 000007
【図６】
2006144299.tif 000008